(57)【要約】【課題】フルセグ放送信号及びワンセグ放送信号が受信可能なデジタル放送受信機において、フルセグ放送信号及びワンセグ放送信号の受信状態に基づいて、Ｂ−ＣＡＳカードスロットに対する電力供給を自動制御するデジタル放送受信機を提供する。【解決手段】Ｂ−ＣＡＳカードスロット制御部１０４は、再生モード切り替え制御部１０２によりフルセグ再生モードからワンセグ再生モードに切り替わった場合に、電力供給部１０７、クロック生成部１０８の動作を停止させ、Ｂ−ＣＡＳカードスロット１０９に対する電力供給、クロック供給を停止する。また、再生モード切り替え制御部１０２によりワンセグ再生モードからフルセグ再生モードに切り替わった場合に、電力供給部１０７、クロック生成部１０８の動作を開始させ、Ｂ−ＣＡＳカードスロット１０９に対する電力供給、クロック供給を開始する。【選択図】図１
2011234016.tif 000002
【特許請求の範囲】
【請求項１】
高画質映像信号と、それよりも低画質の映像信号を含むデジタル放送信号を受信し、カードスロットに装着されたＩＣカードから読み出した復号用情報を使用して高画質映像信号を再生し、前記復号用情報を使用することなく低画質映像信号を再生するデジタル放送受信機において、
前記高画質映像信号の再生モードと前記低画質映像信号の再生モードを切り替える再生モード切り替え制御部と、
前記再生モード切り替え制御部の動作と連動して前記カードスロットに対する電力供給を制御するカードスロット制御部を備え、
前記カードスロット制御部は、前記再生モード切り替え制御部により前記高画質映像信号の再生モードから前記低画質映像信号の再生モードに切り替わった場合に、前記カードスロットに対する電力供給を停止し、前記再生モード切り替え制御部により前記低画質映像信号の再生モードから前記高画質映像信号の再生モードに切り替わった場合に、停止していた電力供給を開始することを特徴とするデジタル放送受信機。
【請求項２】
請求項１に記載のデジタル放送受信機において、
ＣＮ値、ＲＳＳＩ値、ビットエラーレート等の中の何れかもしくは全ての値に基づき、入力されるデジタル放送信号の受信品質値を検知する検知部を備え、
前記再生モード切り替え制御部は、前記検知部が検知したデジタル放送信号の受信品質値が所定値以上の場合に、前記高画質映像信号の再生モードに切り替え、前記受信品質値が所定値未満の場合に、前記低画質映像信号の再生モードに切り替えることを特徴とするデジタル放送受信機。
【請求項３】
請求項２に記載のデジタル放送受信機において、
前記カードスロット制御部は、再生モードが前記低画質映像信号の再生モードの場合であって、前記受信品質値が第１所定値以上、かつ、前記第１所定値よりも大きい第２所定値未満の場合に、前記カードスロットに対する電力供給を開始し、
前記カードスロット制御部による前記電力供給の開始後、前記検知部が検知したデジタル放送信号の受信品質値が前記第２所定値以上になると、前記再生モード切り替え制御部は、前記高画質映像信号の再生モードに切り替え、前記受信品質値が前記第１所定値未満になると、前記カードスロット制御部は、前記カードスロットに対する電力供給を停止することを特徴とするデジタル放送受信機。
【請求項４】
請求項１に記載のデジタル放送受信機において、
ユーザからの再生モード切り替え指示操作を受け付ける操作部を備え、
前記再生モード切り替え制御部は、前記操作部を介して受け付けた前記ユーザからの切り替え指示に基づき、前記高画質映像信号の再生モード、前記低画質映像信号の再生モードの切り替えを実行することを特徴とするデジタル放送受信機。
【発明の詳細な説明】
【技術分野】
【０００１】
本発明は、高画質の映像信号（以下、高画質映像信号と記す）を含む第１デジタル放送信号、及び、低画質の映像信号（以下、低画質映像信号と記す）を含む第２デジタル放送信号を受信するデジタル放送受信機に関する。
【背景技術】
【０００２】
従来から、カーナビ端末や携帯端末などの移動端末には、高画質映像信号を含む第１デジタル放送信号、及び、前記高画質映像信号よりも低画質の映像（信号）を含む第２デジタル放送信号を受信し、受信した第１デジタル放送信号の映像信号又は第２デジタル放送信号の映像信号に対応する映像を出力するデジタル放送受信機が搭載されている。
【０００３】
前記高画質映像信号を含む第１デジタル放送信号は、いわゆる高階層で送信されるデジタル放送信号であり、例えば、地上デジタルテレビ放送（１２セグ）のフルセグ放送信号である。以下、第１デジタル放送信号をフルセグ放送信号と記す。なお、フルセグ放送信号は、複数種類の映像に対応する複数種類の映像信号を含む。
【０００４】
前記低画質映像信号を含む第２デジタル放送信号は、いわゆる低階層で送信されるデジタル放送信号であり、例えば、ワンセグ放送信号である。以下、第２デジタル放送信号をワンセグ放送信号と記す。
【０００５】
特許文献１には、放送信号の受信状況に応じて、フルセグ放送信号の受信とワンセグ放送信号の受信を自動的に切り替え、最適な状態で放送信号を受信するデジタル放送受信機が開示されている。
【０００６】
また、特許文献２には、フルセグ放送の映像信号を再生する際に必要なＢ−ＣＡＳ（BS Conditional Access Systems）カードが、Ｂ−ＣＡＳカードスロットに装着されていない場合、Ｂ−ＣＡＳカードスロットに対する電力供給を自動的に停止する技術が開示されている。なお、ワンセグ放送の映像信号を再生する場合には、Ｂ−ＣＡＳカードは不要である。
【先行技術文献】
【特許文献】
【０００７】
【特許文献１】特開２００１−１１１６４２号公報
【特許文献２】特開２００７−１２２６５４号公報
【発明の概要】
【発明が解決しようとする課題】
【０００８】
ここで、フルセグ放送信号及びワンセグ放送信号が受信可能なデジタル放送受信機において、フルセグ放送信号を受信しフルセグ放送の映像信号を再生している間に、フルセグ放送信号の受信状況が悪化し、フルセグ放送の映像信号を正常に再生できなくなったので、ワンセグ放送信号の受信を開始し、ワンセグ放送の映像信号を再生する場合を想定する。
このような場合であっても、Ｂ−ＣＡＳカードスロットに対する電力供給を行うことは電力の無駄である。
【０００９】
本発明は、かかる実情に鑑みてなされたものであり、フルセグ放送信号及びワンセグ放送信号が受信可能なデジタル放送受信機において、フルセグ放送信号及びワンセグ放送信号の受信状態に基づいて、Ｂ−ＣＡＳカードスロットに対する電力供給を自動制御するデジタル放送受信機を提供することを目的とする。
【課題を解決するための手段】
【００１０】
第１の技術手段は、高画質映像信号と、それよりも低画質の映像信号を含むデジタル放送信号を受信し、カードスロットに装着されたＩＣカードから読み出した復号用情報を使用して高画質映像信号を再生し、前記復号用情報を使用することなく低画質映像信号を再生するデジタル放送受信機において、前記高画質映像信号の再生モードと前記低画質映像信号の再生モードを切り替える再生モード切り替え制御部と、前記再生モード切り替え制御部の動作と連動して前記カードスロットに対する電力供給を制御するカードスロット制御部を備え、前記カードスロット制御部は、前記再生モード切り替え制御部により前記高画質映像信号の再生モードから前記低画質映像信号の再生モードに切り替わった場合に、前記カードスロットに対する電力供給を停止し、前記再生モード切り替え制御部により前記低画質映像信号の再生モードから前記高画質映像信号の再生モードに切り替わった場合に、停止していた電力供給を開始することを特徴とするデジタル放送受信機である。
【００１１】
第２の技術手段は、第１の技術手段のデジタル放送受信機において、ＣＮ値、ＲＳＳＩ値、ビットエラーレート等の中の何れかもしくは全ての値に基づき、入力されるデジタル放送信号の受信品質値を検知する検知部を備え、前記再生モード切り替え制御部は、前記検知部が検知したデジタル放送信号の受信品質値が所定値以上の場合に、前記高画質映像信号の再生モードに切り替え、前記受信品質値が所定値未満の場合に、前記低画質映像信号の再生モードに切り替えることを特徴とするものである。
【００１２】
第３の技術手段は、第２の技術手段のデジタル放送受信機において、前記カードスロット制御部は、再生モードが前記低画質映像信号の再生モードの場合であって、前記受信品質値が第１所定値以上、かつ、前記第１所定値よりも大きい第２所定値未満の場合に、前記カードスロットに対する電力供給を開始し、前記カードスロット制御部による前記電力供給の開始後、前記検知部が検知したデジタル放送信号の受信品質値が前記第２所定値以上になると、前記再生モード切り替え制御部は、前記高画質映像信号の再生モードに切り替え、前記受信品質値が前記第１所定値未満になると、前記カードスロット制御部は、前記カードスロットに対する電力供給を停止することを特徴とするものである。
【００１３】
第４の技術手段は、第１の技術手段のデジタル放送受信機において、ユーザからの再生モード切り替え指示操作を受け付ける操作部を備え、前記再生モード切り替え制御部は、前記操作部を介して受け付けた前記ユーザからの切り替え指示に基づき、前記高画質映像信号の再生モード、前記低画質映像信号の再生モードの切り替えを実行することを特徴とするものである。
【発明の効果】
【００１４】
本発明により、フルセグ放送信号及びワンセグ放送信号が受信可能なデジタル放送受信機において、フルセグ放送の映像再生からワンセグ放送の映像再生に切り替えると、Ｂ−ＣＡＳカードスロットに対する電力供給を自動的に停止するので、消費電力を削減することができる。
【図面の簡単な説明】
【００１５】
【図１】本発明に係るデジタル放送受信機の機能ブロック図である。
【図２】再生モード切り替え時に実行される処理について説明する第１のフロー図である。
【図３】再生モード切り替え時に実行される処理について説明する第２のフロー図である。
【図４】再生モードをワンセグ再生モードからフルセグ再生モードに切り替える際に発生する映像出力及び音声出力のタイムラグを防ぐ処理について説明するフロー図である。
【発明を実施するための形態】
【００１６】
（実施形態１）
以下、図１〜図３を参照して本発明の実施形態１を詳細に説明する。
図１は、本発明に係るデジタル放送受信機１００の機能ブロック図である。
デジタル放送受信機１００は、チューナモジュール１０１、再生モード切り替え制御部１０２、ＴＳ処理部１０３、Ｂ−ＣＡＳカードスロット制御部１０４、デスクランブラ１０５、デコーダ１０６、電力供給部１０７、クロック生成部１０８、Ｂ−ＣＡＳカードスロット１０９、ＡＶ出力部１１０、ユーザ操作部１１１を備える。
【００１７】
チューナモジュール１０１は、後述する再生モード切り替え制御部１０２から通知される再生モード切り替え情報（視聴モード切り替え情報とも言う）がフルセグ再生モード切り替え情報の場合には、フルセグ放送信号の受信処理を実行し、受信したフルセグ放送信号を復調し、ＴＳ（トランスポートストリーム：Transport Stream）を得て、フルセグ用ＴＳデータとしてＴＳ処理部１０３に出力する。また、前記再生モード切り替え情報がワンセグ再生モード切り替え情報の場合には、ワンセグ放送信号の受信処理を実行し、受信したワンセグ放送信号を復調し、ワンセグ用ＴＳデータとしてＴＳ処理部１０３に出力する。
【００１８】
チューナモジュール１０１は、更に、ＣＮ値（Ｃ／Ｎ値：Carrier to Noise ratio）、ＲＳＳＩ値（受信信号強度：Received Signal Strength Indicator）、ビットエラーレート（Bit Error Rate）等の中の何れかもしくは全ての値に基づき、受信した放送信号の受信品質値を検知する検知部１０１ａを備える。検知部１０１ａは、放送信号の受信品質値に変化が有るか否かを判定し、変化が有る場合、検知した受信品質値を再生モード切り替え制御部１０２に通知する。
【００１９】
再生モード切り替え制御部１０２は、検知部１０１ａの検知結果やユーザ操作部１１１からの指示操作に基づき、フルセグ再生モード（高画質映像信号の再生モード）とワンセグ再生モード（低画質映像信号の再生モード）とを切り替える。フルセグ再生モードにおいては、Ｂ−ＣＡＳカードスロット１０９に装着されたＢ−ＣＡＳカード１０９ａから読み出された復号用情報を使用してフルセグ放送信号がデスクランブルされ、その結果、フルセグ映像が再生される。ワンセグ再生モードにおいては、このようなＢ−ＣＡＳカード１０９ａに格納された復号用情報を使用することなく、ワンセグ映像が再生される。
【００２０】
再生モード切り替え制御部１０２は、検知部１０１ａが検知したデジタル放送信号の受信品質値が所定値以上であって、現在の再生モードがワンセグ再生モードの場合に、フルセグ再生モードに切り替える。具体的には、切り替える再生モードを示すフルセグ再生モード切り替え情報を、チューナモジュール１０１、ＴＳ処理部１０３、Ｂ−ＣＡＳカードスロット制御部１０４、及び、デコーダ１０６に通知する。
また、前記受信品質値が所定値未満であって、現在の再生モードがフルセグ再生モードの場合に、ワンセグ再生モードに切り替える。具体的には、切り替える再生モードを示すワンセグ再生モード切り替え情報を、チューナモジュール１０１、ＴＳ処理部１０３、Ｂ−ＣＡＳカードスロット制御部１０４、及び、デコーダ１０６に通知する。
前記所定値は、例えば、ワンセグ放送信号、フルセグ放送信号を受信した時の誤り訂正可能なビット誤り率としてもよく、必要に応じて調整できる。
【００２１】
ＴＳ処理部１０３は、チューナモジュール１０１から入力されたＴＳデータを、映像信号、音声信号、及び、制御情報などに分離する。そして、再生モード切り替え制御部１０２から再生モードとしてフルセグ再生モード切り替え情報が通知されており、更に、入力されたＴＳに対してデスクランブル処理が必要な場合は、分離した映像信号、音声信号、及び、制御情報をデスクランブラ１０５に出力する。フルセグ再生モードが通知されていても、デスクランブル処理が不要な場合、又は、ワンセグ再生モードが通知されている場合は、分離した映像信号、音声信号をデコーダ１０６に出力する。
【００２２】
なお、分離した制御情報の中にＥＭＭ(Entitlement Management Message)、ＥＣＭ（Entitlement Control Message）など、Ｂ−ＣＡＳカード１０９ａに格納された各種制御情報を使用する復号処理等を実行する際に必要な情報がある場合、この情報をＢ−ＣＡＳカードスロット制御部１０４に出力する。ＥＭＭには、ＥＣＭを復号して取り出す際に必要なワーク鍵などが含まれ、ＥＣＭには、フルセグ放送信号をデスクランブルする際に必要なスクランブル鍵などが含まれる。
【００２３】
Ｂ−ＣＡＳカードスロット制御部１０４は、再生モード切り替え制御部１０２から通知される再生モード切り替え情報に基づいて、電力供給部１０７、クロック生成部１０８、Ｂ−ＣＡＳカードスロット１０９の動作制御を実行する。即ち、Ｂ−ＣＡＳカードスロット制御部１０４は、再生モード切り替え制御部１０２の動作と連動してＢ−ＣＡＳカードスロット１０９に対する電力供給を制御する。
【００２４】
例えば、再生モード切り替え制御部１０２によりフルセグ再生モードからワンセグ再生モードに切り替わった場合に、電力供給部１０７、クロック生成部１０８の動作を停止させ、Ｂ−ＣＡＳカードスロット１０９に対する電力供給、クロック供給を停止する。また、再生モード切り替え制御部１０２によりワンセグ再生モードからフルセグ再生モードに切り替わった場合に、電力供給部１０７、クロック生成部１０８の動作を開始させ、Ｂ−ＣＡＳカードスロット１０９に対する電力供給、クロック供給を開始する。
【００２５】
また、Ｂ−ＣＡＳカードスロット制御部１０４は、Ｂ−ＣＡＳカードスロット１０９を介して、Ｂ−ＣＡＳカード１０９ａとの間で、コマンド・レスポンスの送受信を行う。
例えば、ＴＳ処理部１０３からＥＣＭなどが入力されると、Ｂ−ＣＡＳカードスロット１０９を介してＢ−ＣＡＳカード１０９ａにコマンドを出力する。そして、Ｂ−ＣＡＳカードスロット１０９を介してＢ−ＣＡＳカード１０９ａからスクランブル鍵を含むレスポンスを受信すると、スクランブル鍵をデスクランブラ１０５に通知する。
【００２６】
デスクランブラ１０５は、Ｂ−ＣＡＳカードスロット制御部１０４から入力されたスクランブル鍵に基づき、ＴＳ処理部１０３から入力された信号に対して、デスクランブル処理を実行する。そして、デスクランブルされた信号をデコーダ１０６へ出力する。
【００２７】
デコーダ１０６は、ＴＳ処理部１０３又はデスクランブラ１０５から入力された映像信号及び音声信号に対してデコード処理を実行し、デコード後の映像データ及び音声データをＡＶ出力部１１０へ出力する。なお、再生モード切り替え制御部１０２から通知された再生モード切り替え情報がフルセグ再生モード切り替え情報の場合には、フルセグ用デコーダを用いて、ＴＳ処理部１０３から入力された映像信号及び音声信号に対してデコード処理を実行する。前記再生モード切り替え情報がワンセグ再生モード切り替え情報の場合には、ワンセグ用デコーダを用いて、ＴＳ処理部１０３から入力された映像信号及び音声信号に対してデコード処理を実行する。
【００２８】
電力供給部１０７は、Ｂ−ＣＡＳカードスロット制御部１０４の制御に基づき、Ｂ−ＣＡＳカードスロット１０９に対する電力供給処理を開始又は停止する。
クロック生成部１０８は、Ｂ−ＣＡＳカードスロット制御部１０４の制御に基づき、クロック生成処理、及び、生成したクロックをＢ−ＣＡＳカードスロット１０９に供給する処理を開始又は停止する。
【００２９】
Ｂ−ＣＡＳカードスロット１０９は、電力供給部１０７からの電力の供給、及び、クロック生成部１０８からのクロックの供給を受けて、スロット１０９に装着されたＢ−ＣＡＳカード１０９ａとデータの送受信を行う。例えば、スロット１０９に装着されたＢ−ＣＡＳカード１０９ａから復号用情報を読み出し、Ｂ−ＣＡＳカードスロット制御部１０４に出力する。
【００３０】
Ｂ−ＣＡＳカード１０９ａは、暗号化された情報からフルセグ放送信号のＴＳをデスクランブルする際に使用されるスクランブル鍵を取り出す処理などを行うＩＣカードである。
ＡＶ出力部１１０は、デコーダ１０６によってデコードされた映像データをディスプレイなどに出力し、同音声データをスピーカーなどに出力する。
【００３１】
ユーザ操作部１１１は、各種操作キーから構成され、ユーザからの再生モード切り替え指示操作を受け付ける。この切り替え操作指示は、再生モード切り替え制御部１０２に出力される。例えば、ユーザが再生モードをフルセグ再生モードからワンセグ再生モードに切り替えるように指示すると、ユーザ操作部１１１は、この指示を再生モード切り替え制御部１０２に出力する。再生モード切り替え制御部１０２は、この指示に基づき、再生モードをフルセグ再生モードからワンセグ再生モードに切り替える。ユーザが再生モードをワンセグ再生モードからフルセグ再生モードに切り替えるように指示した場合も同様に、再生モード切り替え制御部１０２は、この指示に基づき、再生モードをワンセグ再生モードからフルセグ再生モードに切り替える。
【００３２】
図２は、再生モード切り替え時に実行される処理について説明する第１のフロー図である。図２のフロー図では、再生モードをフルセグ再生モードからワンセグ再生モードに切り替える場合を例示して説明する。なお、フルセグ再生モードにおいては、電力供給部１０７及びクロック生成部１０８が動作し、Ｂ−ＣＡＳカードスロット１０９に対して電力及びクロックを供給している。
【００３３】
検知部１０１ａは、検知した放送信号の受信品質値に変化が有るか否かを判定する（ステップＳ１）。受信品質値に変化が有る場合（ステップＳ１／ＹＥＳ）、再生モード切り替え制御部１０２は、検知部１０１ａが検知した受信品質値が所定値以上か否かを判定する（ステップＳ２）。なお、ステップＳ１において、変化前の受信品質値と変化後の受信品質値の差分が一定値以上の場合に、受信品質値に変化があるとしてもよい。図３のステップＳ１１、図４のステップＳ２１、Ｓ２５の判定手処理でも同様である。
【００３４】
放送信号の受信状態が悪くなり、検知部１０１ａが検知した受信品質値が所定値未満になった場合（ステップＳ２／ＹＥＳ）、再生モード切り替え制御部１０２は、再生モードをフルセグ再生モードからワンセグ再生モードに切り替える（ステップＳ３）。なお、このとき、ワンセグ再生モード切り替え情報がＢ−ＣＡＳカードスロット制御部１０４、チューナモジュール１０１、ＴＳ処理部１０３、及び、デコーダ１０６に通知される。
【００３５】
Ｂ−ＣＡＳカードスロット制御部１０４は、再生モード切り替え制御部１０２からワンセグ再生モード切り替え情報が通知されると、電力供給部１０７の動作、及び、クロック生成部１０８の動作を停止させ、Ｂ−ＣＡＳカードスロット１０９に対する電力の供給、及び、クロックの供給を停止する（ステップＳ４）。
同じく、チューナモジュール１０１は、ワンセグ放送信号の受信を開始し、ＡＶ出力部１１０は、デコーダ１０６によってデコードされたワンセグ用の映像信号及び音声信号の出力を実行する（ステップＳ５）。
【００３６】
なお、受信品質値に変化が生じていない場合（ステップＳ１／ＮＯ）、受信品質値が所定値以上の場合（ステップＳ２／ＮＯ）、ステップＳ１の処理に戻る。
【００３７】
図２のフロー図では、再生モードをフルセグ再生モードからワンセグ再生モードに自動的に切り替える処理について説明したが、ユーザからユーザ操作部１１１を介してワンセグ再生モードに切り替えるように指示を受けた場合でも、再生モード切り替え制御部１０２は、この指示に基づき、再生モードを切り替える。すると、ステップＳ３〜Ｓ５の処理が実行される。
【００３８】
図３は、再生モード切り替え時に実行される処理について説明する第２のフロー図である。図３のフロー図では、再生モードをワンセグ再生モードからフルセグ再生モードに切り替える場合を例示して説明する。なお、ワンセグ再生モードにおいては、電力供給部１０７及びクロック生成部１０８の動作は停止しており、Ｂ−ＣＡＳカードスロット１０９には電力及びクロックが供給されていない。
【００３９】
検知部１０１ａは、検知した放送信号の受信品質値に変化が有るか否かを判定する（ステップＳ１１）。受信品質値に変化が有る場合（ステップＳ１１／ＹＥＳ）、再生モード切り替え制御部１０２は、検知部１０１ａが検知した受信品質値が所定値以上か否かを判定する（ステップＳ１２）。
受信状態が良くなり、検知部１０１ａが検知した受信品質値が所定値以上になった場合（ステップＳ１２／ＹＥＳ）、再生モード切り替え制御部１０２は、再生モードをワンセグ再生モードからフルセグ再生モードに切り替える（ステップＳ１３）。なお、このとき、フルセグ再生モード切り替え情報がＢ−ＣＡＳカードスロット制御部１０４、チューナモジュール１０１、ＴＳ処理部１０３、及び、デコーダ１０６に通知される。
【００４０】
Ｂ−ＣＡＳカードスロット制御部１０４は、フルセグ再生モード切り替え情報を受信すると、電力供給部１０７の動作、及び、クロック生成部１０８の動作を開始し、Ｂ−ＣＡＳカードスロット１０９に対する電力の供給、及び、クロックの供給を開始する（ステップＳ１４）。
Ｂ−ＣＡＳカードスロット１０９は、電力供給部１０７からの電力の供給、及び、クロック生成部１０８からのクロックの供給を受け、リセット後、起動処理を実行する（ステップＳ１５）。
その後、チューナモジュール１０１は、フルセグ放送信号の受信を開始し、ＡＶ出力部１１０は、デコーダ１０６によってデコードされたフルセグ用の映像信号及び音声信号の出力を実行する（ステップＳ１６）。
【００４１】
なお、受信品質値に変化が生じていない場合（ステップＳ１１／ＮＯ）、受信品質値が所定値未満の場合（ステップＳ１２／ＮＯ）、ステップＳ１１の処理に戻る。
【００４２】
図３のフロー図では、再生モードをワンセグ再生モードからフルセグ再生モードに自動的に切り替える処理について説明したが、ユーザからユーザ操作部１１１を介してフルセグ再生モードに切り替えるように指示を受けた場合でも、再生モード切り替え制御部１０２は、この指示に基づき、再生モードを切り替える。すると、ステップＳ１３〜Ｓ１６の処理が実行される。
【００４３】
このようにすることで、Ｂ−ＣＡＳカード１０９ａを使用する必要がないワンセグ放送の映像をユーザが視聴している間は、Ｂ−ＣＡＳカードスロット１０９に対する電力供給及びクロック供給を停止し、Ｂ−ＣＡＳカード１０９ａを使用する必要があるフルセグ放送の映像をユーザが視聴している間のみＢ−ＣＡＳカードスロット１０９に対する電力供給及びクロック供給を行うので、無駄に電力を消費せず、省電できる。
【００４４】
（実施形態２）
図３で説明したように、再生モードをワンセグ再生モードからフルセグ再生モードに切り替えると、Ｂ−ＣＡＳカードスロット１０９は、電力及びクロックの供給を受けて起動処理を実行するが、この起動処理等の実行に時間が掛かり、フルセグの映像出力及び音声出力が遅延することがある。つまり、映像出力及び音声出力にタイムラグが発生する。このようなタイムラグの発生を防ぐ処理について説明する。
【００４５】
前記処理を実現するため、Ｂ−ＣＡＳカードスロット制御部１０４は、再生モードがワンセグ再生モードの場合であって、検知部１０１ａが検知したデジタル放送信号の受信品質値が第１所定値以上、かつ、第１所定値よりも大きい第２所定値未満の場合に、Ｂ−ＣＡＳカードスロット１０９に対する電力供給を開始する制御を行う。
【００４６】
Ｂ−ＣＡＳカードスロット制御部１０４による前記電力供給の制御開始後、検知部１０１ａが検知したデジタル放送信号の受信品質値が第２所定値以上になると、再生モード切り替え制御部１０２は、フルセグ再生モードに切り替え、前記受信品質値が第１所定値未満になると、Ｂ−ＣＡＳカードスロット制御部１０４は、Ｂ−ＣＡＳカードスロット１０９に対する電力供給を停止する制御を行う。
【００４７】
図４は、再生モードをワンセグ再生モードからフルセグ再生モードに切り替える際に発生する映像出力及び音声出力のタイムラグを防ぐ処理について説明するフロー図である。なお、ワンセグ再生モードにおいては、電力供給部１０７及びクロック生成部１０８の動作は停止し、Ｂ−ＣＡＳカードスロット１０９には電力及びクロックが供給されていない。
【００４８】
検知部１０１ａは、検知した放送信号の受信品質値に変化が有るか否かを判定する（ステップＳ２１）。受信品質値に変化が有る場合（ステップＳ２１／ＹＥＳ）、再生モード切り替え制御部１０２は、検知部１０１ａが検知した受信品質値が第１所定値以上か否かを判定する（ステップＳ２２）。
放送信号の受信状態が良くなり、受信品質値が第１所定値以上になると（ステップＳ２２／ＹＥＳ）、再生モード切り替え制御部１０２は、フルセグ再生モード切り替え情報を、チューナモジュール１０１、Ｂ−ＣＡＳカードスロット制御部１０４に通知し、フルセグ再生モード切り替え準備情報をＴＳ処理部１０３に通知する。Ｂ−ＣＡＳカードスロット制御部１０４は、フルセグ再生モード切り替え情報が通知されると、電力供給部１０７の動作、及び、クロック生成部１０８の動作を開始させ、電力供給部１０７及びクロック生成部１０８は、Ｂ−ＣＡＳカードスロット１０９に対する電力の供給、及び、クロックの供給を開始する（ステップＳ２３）。
【００４９】
Ｂ−ＣＡＳカードスロット１０９は、電力供給部１０７からの電力の供給、及び、クロック生成部１０８からのクロックの供給を受け、リセット後、起動処理を実行する（ステップＳ２４）。Ｂ−ＣＡＳカード１０９ａの起動後、Ｂ−ＣＡＳカードスロット制御部１０４は、ＴＳ処理部１０３からＥＣＭを受信した場合には、Ｂ−ＣＡＳカードスロット１０９を介して、Ｂ−ＣＡＳカード１０９ａへコマンド送信し、レスポンスとして、Ｂ−ＣＡＳカードスロット１０９を介して、Ｂ−ＣＡＳカード１０９ａからスクランブル鍵を取得し、デスクランブラ１０５に出力する。
【００５０】
なお、チューナモジュール１０１は、フルセグ再生モード切り替え情報が通知されると、フルセグ放送信号の受信処理を開始する。また、ＴＳ処理部１０３は、フルセグ再生モード切り替え準備情報が通知されると、チューナモジュール１０１から入力されたフルセグ用ＴＳデータを、映像信号、音声信号、及び、制御情報などに分離し、ＥＣＭ等の情報を取得した場合には、Ｂ−ＣＡＳカードスロット制御部１０４に出力する。
受信品質値に変化がない場合（ステップＳ２１／ＮＯ）、受信品質値が第１所定値未満の場合（ステップＳ２２／ＮＯ）、ステップＳ２１に戻る。
【００５１】
ここで、再び、検知部１０１ａは、検知した放送信号の受信品質値に変化が有るか否かを判定する（ステップＳ２５）。前記受信品質値に変化が有る場合（ステップＳ２５／ＹＥＳ）、再生モード切り替え制御部１０２は、前記受信品質値が第２所定値以上か否かを判定する（ステップＳ２６）。
【００５２】
放送信号の受信状態が良くなり、受信品質値が第２所定値以上になると（ステップＳ２６／ＹＥＳ）、再生モード切り替え制御部１０２は、再生モードをワンセグ再生モードからフルセグ再生モードに切り替える（ステップＳ２７）。このとき、再生モード切り替え制御部１０２は、フルセグ再生モード切り替え情報を、ＴＳ処理部１０３、及び、デコーダ１０６に通知する。ＴＳ処理部１０３は、この通知を受けると、ワンセグ用ＴＳデータの分離処理を停止する。デコーダ１０６は、この通知を受けると、デスクランブラ１０５から入力された映像信号及び音声信号に対してデコード処理を開始する。その後、ＡＶ出力部１１０は、フルセグの映像出力及び音声出力を実行する（ステップＳ２８）
【００５３】
放送信号の受信状態が悪くなり、前記受信品質値が第２所定値未満になると（ステップＳ２６／ＮＯ）、再生モード切り替え制御部１０２は、前記受信品質値が第１所定値未満か否かを判定する（ステップＳ２９）。前記受信品質値が第１所定値未満の場合（ステップＳ２９／ＹＥＳ）、Ｂ−ＣＡＳカードスロット制御部１０４は、電力供給部１０７の動作、及び、クロック生成部１０８の動作を停止させ、Ｂ−ＣＡＳカードスロット１０９に対する電力の供給、及び、クロックの供給を停止する（ステップＳ３０）。
【００５４】
なお、前記受信品質値が第１所定値未満の場合（ステップＳ２９／ＹＥＳ）、再生モード切り替え制御部１０２は、ワンセグ再生モード切り替え情報を、チューナモジュール１０１、ＴＳ処理部１０３、Ｂ−ＣＡＳカードスロット制御部１０４に通知する。Ｂ−ＣＡＳカードスロット制御部１０４は、ワンセグ再生モード切り替え情報を受信すると、ステップ３０の処理を実行する。チューナモジュール１０１は、この通知を受けると、フルセグ放送信号の受信処理を停止する。ＴＳ処理部１０３は、この通知を受けると、フルセグ用ＴＳデータの分離処理を停止する。このとき、ワンセグ放送の再生処理は、継続している。
【００５５】
このようにすることで、Ｂ−ＣＡＳカード１０９ａからのスクランブル鍵取得等の処理が遅延することによる、映像出力及び音声出力におけるタイムラグの発生を防ぐことができる。
（変形例）
クロック生成部１０８をＢ−ＣＡＳカードスロット１０９に設けてもよい。この場合、Ｂ−ＣＡＳカードスロット１０９に電力が供給されると、クロック生成部１０８が起動することになる。
図２、図３のフロー図で説明した所定値、図４のフロー図で説明した第１所定値、第２所定値については任意の値に調整することができる。
【符号の説明】
【００５６】
１００…デジタル放送受信機、１０１…チューナモジュール、１０１ａ…検知部、１０２…再生モード切り替え制御部、１０３…ＴＳ処理部、１０４…Ｂ−ＣＡＳカードスロット制御部、１０５…デスクランブラ、１０６…デコーダ、１０７…電力供給部、１０８…クロック生成部、１０９…Ｂ−ＣＡＳカードスロット、１０９ａ…Ｂ−ＣＡＳカード、１１０…ＡＶ出力部、１１１…ユーザ操作部。
【図１】
2011234016.tif 000003
【図２】
2011234016.tif 000004
【図３】
2011234016.tif 000005
【図４】
2011234016.tif 000006